(57)【要約】【課題】中皿とパフ皿付きのパウダー容器において、中皿に穿設するパウダー用通孔の開孔面積を広狭自在に形成してパフへ付着させるパウダー量を自由に調整可能とし、又そのパウダー用通孔の密閉も可能とした。【解決手段】容器体１の上部内へ中皿１１を、該中皿内へ回動可能にパフ３１付きパフ皿１１を、それぞれ嵌合させ、中皿１１とパフ皿２１との各対向面の一方へ案内溝１７を、他方へ案内子２９を、それぞれ設けて、パフ皿回動で案内溝１７の一端へ案内子２９が位置したとき、上記両皿底板１３、２２に穿設した第１、第２通孔１６、２８が連通すると共に他端へ移動したとき、両通孔の少くとも一方を他方の皿底板が密閉可能とした。【選択図】    図２
2005021213.tif 000002
【特許請求の範囲】
【請求項１】
容器本体１内へ中皿１１を、該中皿内へ回動可能にパフ入りパフ皿２１を、それぞれ嵌合させた蓋付き容器であって、上記中皿１１とパフ皿２１との各対向面の一方へ案内溝１７を、他方へ案内子２９を、それぞれ設けて、中皿に対するパフ皿の回動で案内子が案内溝一端へ接したときは、両皿底板１３、２２に穿設した第１、第２通孔１６、２８が連通すると共に他端へ移動したときは、両通孔の少くとも一方を他方の皿底板が密閉可能に形成したことを特徴とするパウダー容器。
【請求項２】
上記案内溝１７の他端近くへ係合子１８を付設して該係合子乗越えで案内子２９が案内溝他端へ接したとき、案内子２９が係合子１８へ係合して、案内溝内での案内子盲動を阻止可能に形成したことを特徴とする請求項１記載のパウダー容器。
【請求項３】
上記パフ皿２１の周壁２３上部を、中皿周壁１２よりも上方へ突出してパフ皿回動用把持筒２６としたことを特徴とする、請求項１又は２記載のパウダー容器。
【発明の詳細な説明】
【０００１】
【発明の属する技術分野】
本発明はパウダー容器に関する。
【０００２】
【従来の技術】
容器体内へ複数のパウダー通孔付き中皿を嵌合させ、又該中皿底板との間へ間隙をおいて中皿上部内へパフ入りパフ皿を嵌合させた蓋付きパウダー容器が知られている（特許資料１）。
【０００３】
【特許資料】特開平１０−２０１５３０号公報。
【０００４】
【発明が解決しようとする課題】
パフに対するパウダー付着量は必要に応じて変えられることが望ましい。
【０００５】
本発明は中皿に穿設したパウダー通孔の開孔部分面積を必要に応じて広狭自在に変更できるようにすることを主目的とするものである。
【０００６】
【課題を解決するための手段】
第１の手段として、容器本体１内へ中皿１１を、該中皿内へ回動可能にパフ入りパフ皿２１を、それぞれ嵌合させた蓋付き容器であって、上記中皿１１とパフ皿２１との各対向面の一方へ案内溝１７を、他方へ案内子２９を、それぞれ設けて、中皿に対するパフ皿の回動で案内子が案内溝一端へ接したときは、両皿底板１３、２２に穿設した第１、第２通孔１６、２８が連通すると共に他端へ移動したときは、両通孔の少くとも一方を他方の皿底板が密閉可能に形成した。
【０００７】
第２の手段として、上記第１の手段を有すると共に上記案内溝１７の他端近くへ係合子１８を付設して該係合子乗越えで案内子２９が案内溝他端へ接したとき、案内子２９が係合子１８へ係合して、案内溝内での案内子盲動を阻止可能に形成した。
【０００８】
第３の手段として、上記第１又は第２の手段を有すると共に上記パフ皿２１の周壁２３上部を、中皿周壁１２よりも上方へ突出してパフ皿回動用把持筒２６とした。
【０００９】
【発明の実施の形態】
まず図１から図３が示す第１実施形態について説明すると、１は容器本体で、底板２外周から周壁３を起立する。該周壁上部は上向き段部を介して小外径部４としており、該小外径部を後述の蓋周壁嵌合部としている。周壁下半内をパウダー収納室とする。
【００１０】
１１は中皿で、上記容器本体の周壁上部内面へ緊密に嵌合させた周壁１２を底板１３外周から起立し、その周壁上端に外向きフランジ１４を付設して該外向きフランジを容器本体周壁３の上端面へ係合させている。その底板１３はその中央部に連結孔１５を穿設し、又図１が示すように前後および左右の四方向半径部分へ、外周側が巾広でかつ中央側が巾狭の長孔を穿設しており、これ等を第１通孔１６としている。又底板外周一部にはその外周に沿って弧状の案内溝１７を穿設している。該案内溝については後述する。
【００１１】
上記中皿１１内へは図２が示すようにパフ皿２１を回動可能に嵌合させる。該パフ皿は図１のように底板２２外周から周壁２３を起立し、該周壁上端へ外向きフランジ２４を付設し、該外向きフランジから、上端部外面へ多数滑止め突条２５を縦設した把持筒２６を起立しており、又底板２２中央部からは既述中皿底壁中央の連結孔１５内へ嵌合させてテーパ状の短筒２７を垂下する。中皿１１とパフ皿２１とは底板相互を重合せ、又中皿周壁１２内面へパフ皿周壁２３を回動可能に嵌合させ、又中皿の外向きフランジ１４上面へパフ皿の外向きフランジ２４を載置させる。
【００１２】
パフ皿２１の底板２２にも、図１が示すように、中皿に穿設した第１通孔１６と同様にほぼ同一の四コの第２通孔２８を穿設しており、又パフ皿底板の外周部からは、既述中皿に穿設した案内溝１７内へ摺動自在に嵌合させて一対の案内子２９を垂下する。案内溝１７内へ案内子２９を嵌合させた状態でパフ皿２１を回動させて、案内溝１７一端へ案内子２９が接したとき、第１、第２通孔１６、２８は重なってそれ等両通孔は共に全開し、又案内溝１７他端へ案内子２９を移動させると、上記両通孔１６、２８は共に他方通孔を有する底板により密閉されるよう設けている。
【００１３】
案内溝両端近くへは、特に上記案内溝他端近くへは、係合子１８を付設し、案内子２９が係合子を乗越えて案内溝端部へ接したとき、案内子が係合子１８へ接して案内溝内での案内子２９の盲動を阻止するよう設けるとよい。
【００１４】
３１はパフで、パフ皿２１内へ収納させたとき、パフ下面が全部の第２通孔２８上面をすべて閉塞することが可能な大きさに形成している。
【００１５】
４１は蓋で頂壁４２外周から垂下した周壁４３を容器本体周壁３の小外径部４外面へ嵌合させる。尚図示例で該蓋は容器本体と別部材としているが、容器本体に対して枢着させても差支えない。
【００１６】
図４は第２実施形態を示す。尚第１実施形態と同一部分については同一符号を付することで説明を省略する。
【００１７】
該実施形態は既述弧状の案内溝１７と該案内溝内を摺動させる案内子２９とを、第１実施形態に対して逆に設けたもので、弧状案内溝１７をパフ皿底板２２に、又案内子２９を中皿１１から起立させたものであり、それ等は第１実施形態の場合と同一の機能を有する。尚本明細書において案内溝とは、有底の溝のほか、無底の、つまり長孔を含むものとする。
【００１８】
既述容器本体１、中皿１１、パフ皿２１、蓋４１は、すべて合成樹脂材で形成している。
【００１９】
上記構成においてパウダー容器使用の際は、まず蓋４１を除去し、パフ皿２１を回動させて第１、第２通孔１６、２８を連通させ、該状態でパフ皿内のパフ３１で第２通孔２８全部を塞いだ状態で容器本体１を傾ける等して上記第１、第２通孔内へ流入したパウダーをパフ３１下面へ付着させ、次いで容器本体を正立状態に戻し、パフ３１を取出して使用する。上記第１、第２通孔の連通部分面積が多すぎ、パフに対するパウダー付着量が多すぎる場合、又連通部分面積が狭くてパウダー量が少ない場合は、パフ皿回動によって第１、第２通孔の連通部分面積を減少し、又増大させる。パウダー使用が終った後は第１、第２通孔閉塞方向へパフ皿２１を、案内子２９が案内溝端部へ接するまで回動させ、かつ閉蓋する。
【００２０】
【発明の効果】
本発明は既述構成とするものであり、請求項１記載のようにすることで、第１、第２通孔１６、２８の連通部分面積を広狭自在に調整出来るからパフへのパウダー付着量も自由に定めることが出来、又上記第１、第２通孔の密閉によって、中皿１１下方の容器本体内パウダー室も密閉できるから、中皿１１に対するパフ皿２１回動でパウダー室を開閉できることとなり、従来のように容器本体内密閉を、容器本体に対する蓋４１嵌合によって行わなくてよいから、容器本体への蓋の着脱を簡易とすることが出来、容器本体内密閉を蓋で行った場合のように蓋抜取りの衝撃で、パウダーが飛散することもない。
【００２１】
請求項２のようにすることで、携帯時等にあってもパフ皿２１が中皿１１に対して盲動することがなく、よって第１、第２通孔１６，２８  が開通して容器本体内パウダーがパフ皿２１内へ入り、そのためパフ３１に多量のパウダーが付着して困ることもない。
【００２２】
請求項３のようにしたことで、容器本体内へ固嵌めさせた中皿１１に対してパフ皿２１を回動させることが容易となる。
【図面の簡単な説明】
【図１】本発明容器の分解斜視図である。
【図２】図１容器の縦断面図である。
【図３】図１容器一部の拡大断面図である。
【図４】別実施形態で示す、本発明容器の断面図である。
【符号の説明】
１…容器本体                    １１…中皿
１６…第１通孔                  １７…案内溝
２１…パフ皿                    ２８…第２通孔
２９…案内子                    ３１…パフ
【図１】
2005021213.tif 000003
【図２】
2005021213.tif 000004
【図３】
2005021213.tif 000005
【図４】
2005021213.tif 000006